(57)【要約】【課題】本発明は、車両の自動操縦運転を活用して、安全で、かつ面倒な手間を要せずに、運転中に発生する故障の対応が行える車両の運転支援装置を提供する。【解決手段】本発明は、手動操作による運転とナビゲーション装置２１の地図情報に基づく自動操縦運転とによる走行が可能な車両１と、車両の故障を検出する故障検出手段３１と、故障検出手段が自動操縦運転に支障がない故障を検出したとき、ナビゲーション装置の地図情報に基づき現在の自車位置から最寄りの車両点検可能な点検施設までの経路を探索する点検施設探索手段２１と、点検施設探索手段の実行を促す表示を運転者にする故障対応手段３５と、点検施設探索手段の実行を許可する対応許可手段４１と、点検施設探索手段の実行が許可されると、探索された経路にしたがい自動操縦で車両を最寄りの点検施設まで誘導する誘導手段１９を有する。【選択図】図１
2017223467.tif 000002
【特許請求の範囲】
【請求項１】
手動操作による運転と、ナビゲーション装置の地図情報に基づく自動操縦運転とによる走行が可能な車両と、
前記車両の故障を検出する故障検出手段と、
前記故障検出手段が前記自動操縦運転に支障がない故障を検出したとき、前記ナビゲーション装置の地図情報に基づき現在の自車位置から最寄りの車両点検可能な点検施設までの経路を探索する点検施設探索手段と、
前記点検施設探索手段の実行を促す表示を運転者にする故障対応手段と、
前記点検施設探索手段の実行を許可する対応許可手段と、
前記点検施設探索手段の実行が許可されると、探索された経路にしたがい自動操縦で前記車両を前記最寄りの点検施設まで誘導する誘導手段と
を具備したことを特徴する車両の運転支援装置。
【請求項２】
さらに前記ナビゲーション装置の地図情報に基づき現在の自車位置から最寄りの避難位置までの経路を探索する避難位置探索手段を有し、
前記故障対応手段は、前記点検施設探索手段の実行、前記避難位置探索手段の実行の選択を促す表示をする機能を有し、
前記対応許可手段は、前記避難位置探索手段の実行を許可する機能を含み、
前記誘導手段は、前記避難位置探索モードが許可されると、前記車両を手動操作による運転のモードで、前記避難位置探索手段で検索される経路の案内にしたがい前記最寄りの避難位置に案内する機能を含む
ことを特徴とする請求項１に記載の車両の運転支援装置。
【請求項３】
前記故障対応手段は、前記故障検出手段が前記自動操縦運転に支障のある故障を検出したとき、前記避難位置探索手段を実行させる機能を含む
ことを特徴とする請求項１に記載の車両の運転支援装置。
【請求項４】
前記誘導手段は、前記点検施設探索手段の実行、前記避難位置探索手段の実行の選択をしないとき、現在の走行を継続させる継続モードを含む
ことを特徴とする請求項２に記載の車両の運転支援装置。
【請求項５】
前記避難位置は、前記車両が緊急に停止可能な場所であることを特徴とする請求項２に記載の車両の運転支援装置。
【請求項６】
前記故障対応手段は、前記点検施設探索手段の実行を通知表示で運転者に促す表示手段を含み、
前記表示手段における点検施設探索手段の実行を促す通知表示は、点検修理を必要とする優先度が高い故障にしたがい目立つよう表示される
ことを特徴とする請求項１に記載の車両の運転支援装置。
【発明の詳細な説明】
【技術分野】
【０００１】
本発明は、車両故障に対する対応を支援する車両の運転支援装置に関する。
【背景技術】
【０００２】
自動車（車両）の多くは、目的地までを運転者の手動操作する車両である。近時の自動車では、走行の一部あるいは全部が、ナビゲーション装置の地図情報や自車周辺を監視する各種センサに基づく自動操縦運転に切換えられるものがある。
ところで、自動車は、故障が発生した場合、インジケータなどで故障が運転者に通知される。同故障は、例えば、自動車が自動操縦運転で運転されているときなどで発生する。
【０００３】
しかし、運転者は、インジケータで故障が通知されても、現在の走行している道路が土地勘のない道路などであった場合、迅速に故障に対する対応をとることが困難となる。
すなわち、一般的には運転者の知っている身近な点検施設、例えば最寄りの自動車販売会社へ車両を持ち込んで、車両点検のうえ故障を修理することになるが、土地勘がないと、どのように対応していいかわからなくなりやすい。しかも、ナビゲーション装置を用いて点検施設を見つけるにしても、土地勘がないため、最寄りの点検施設を探し出すのには手間がかかる。しかも、点検施設までの道のりには不安があり、安全性の点で難がある。
【０００４】
そこで、従来、運転支援装置では、特許文献１に開示されているように、ナビゲーション装置を用いて、故障を検知したら最寄りのサービス店を検索し、故障内容を検索したサービス店へ通信で連絡させる技術が提案されている。
【先行技術文献】
【特許文献】
【０００５】
【特許文献１】特開平１０−３７７５７号公報
【発明の概要】
【発明が解決しようとする課題】
【０００６】
しかしながら、特許文献１のように最寄りサービス店へ通信させる対応だと、土地勘のない場所で運転者自身による運転が強いられるため、最寄りのサービス店まで車両を持ち込む手間は大変である。しかも、その間、不安が生じるため、安全性の点にも難がある。
そこで、本発明の目的は、車両の自動操縦運転を活用して、安全で、かつ面倒な手間を要せずに、運転中に発生する故障の対応が行える車両の運転支援装置を提供する。
【課題を解決するための手段】
【０００７】
本発明の態様は、手動操作による運転とナビゲーション装置の地図情報に基づく自動操縦運転とによる走行が可能な車両と、車両の故障を検出する故障検出手段と、故障検出手段が自動操縦運転に支障がない故障を検出したとき、ナビゲーション装置の地図情報に基づき現在の自車位置から最寄りの車両点検可能な点検施設までの経路を探索する点検施設探索手段と、点検施設探索手段の実行を促す表示を運転者にする故障対応手段と、点検施設探索手段の実行を許可する対応許可手段と、点検施設探索手段の実行が許可されると、探索された経路にしたがい自動操縦で車両を最寄りの点検施設まで誘導する誘導手段を有するものとした。
【発明の効果】
【０００８】
本発明の運転支援装置によれば、車両が自動操縦運転あるいは手動操作運転により走行中、故障（自動操縦運転に支障のない故障）が検出されると、運転者に点検施設探索の実行を促す表示がされる。点検施設探索の実行を許可すると、車両は、探索された現在の自車両位置から最寄りの点検施設までの経路にしたがい自動操縦で点検施設まで搬送される。
【０００９】
これにより、車両の走行中、土地勘のない場所で故障が発生しても、車両は、運転者の運転に依らず、自動操縦で最寄りの点検施設まで自動搬送することができる。
したがって、車両の自動操縦運転を活用して、安全で、かつ面倒な手間を要せずに、運転中に発生する故障の対応を行うことができる。
【図面の簡単な説明】
【００１０】
【図１】本発明の第１の実施形態に係る態様となる車両の運転支援装置の概略的な構成を示すブロック図。
【図２】同運転支援装置の車両故障発生における各種の対応を説明するフローチャート。
【図３】同運転支援装置におけるモード選択の表示画面を、優先度が高い故障の表示の違いと共に示す図
【図４】本発明の第２の実施形態に係る態様の要部となるナビゲーション装置のディスプレイ部を示す正面図。
【発明を実施するための形態】
【００１１】
以下、本発明を図１から図３に示す第１の実施形態にもとづいて説明する。
図１（ａ）中１は、手動運転と自動操縦運転とに切換え可能な自動車（車両）を示している。ちなみに自動車は、例えば主にエンジンで発電機を駆動し、発電された電力でモータを駆動して走行するという、シリーズハイブリッド車を想定している。
この自動車１の手動運転は、例えば運転席（図示しない）の前側（車両前後方向前方）に配置されたステアリングハンドル３、ブレーキペダル５やアクセルペダル７、運転席の正面側のインストルメントパネル部分２に配置されたセレクタレバー（図示しない）などの機器を運転者が手動操作することによって行われる。
【００１２】
また同自動車１の自動操縦運転には、自動車に搭載されたパワーユニット１１（エンジンやモータなど）や操舵システム１３やブレーキシステム１５や車両周辺を検出する各種監視センサ１７（障害物センサ、距離センサなど各種センサ類）が接続された自動運転ＥＣＵ１９（例えばマイクロコンピュータで構成）が用いられる。この自動運転ＥＣＵ１９に、ＧＰＳと通信可能なナビゲーション装置２１が接続される。これにより、ナビゲーション装置２１から目標位置を設定し、自動運転ＥＣＵ１９に接続された自動運転スイッチ２３を操作すると、ＧＰＳで検出される自車位置に基づき、ナビゲーション装置２１に内蔵のデータベース部２２に格納された地図情報や各種監視センサ１７からの検出信号にしたがい、交通法規（車両速度、標識、右左折、車間距離、信号など）を順守しながら、パワーユニット１１や操舵システム１３やブレーキシステム１５などが制御され、現在位置から目標位置までの経路をトレースするよう自動操縦で走行が行われる。同走行は、障害物を避けながら行われる。なお、例えば、自動操縦運転中、運転手による操舵操作、アクセル操作、ブレーキ操作等が行われると、その時点から手動操作による運転に切り換わる。
【００１３】
この自動車(車両)には、運転支援装置２９が設けられている。この運転支援装置２９は、走行中に発生する故障に対する対応を支援するものである。
同運転支援装置２９は、車両の故障を検出する故障検出手段と、車両点検が可能な点検施設、例えば自動車販売会社（以下，販社という）を探索する点検施設探索手段と、故障の対応を表示する故障対応手段と、同対応を許可する対応許可手段と、車両を自動操縦で点検施設まで誘導する誘導手段とを組み合わせて構成される。
【００１４】
具体的には上記故障検出手段は、例えば図１（ａ）に示されるように車両に搭載された故障診断装置３１と同故障診断装置３１につながる故障判別部３３とを有して構成される。これにより、故障診断装置３１にて車両の故障の発生が検出される。また故障判別部３３にて、検出される故障のうち、自動操縦運転に支障のない故障や支障のある故障の判別を行う。さらに故障判別部３３は、判別した支障のない故障を故障度合いで分ける機能を有する。これは、同故障を点検修理を必要する優先度の高い故障レベルに分けるもので、例えば直ちに販社へ行かなければならない故障を故障レベルＡとし、できるだけ販社へ行った方がよい故障を故障レベルＢとし，点検を勧める程度の故障を故障レベルＣとして分ける（判別）するものである。
【００１５】
上記点検施設探索手段は、ナビゲーション装置２１を有して構成される。つまり、ナビゲーション装置２１による探索、詳しくはＧＰＳで検出される現在の自車位置とデータベース部２２に格納された地図情報とに基づき、自車位置周辺の販社を検索したり、自車位置から販社までの経路を探索したりする点検施設探索モードの設定で構成される。またナビゲーション装置２１には、避難位置探索手段として、現在の自車位置周辺の避難位置、例えば車両が緊急に停止可能な場所（直線距離が十分に長い路肩、駐車場、坂道（下り坂）の緊急避難帯など）を検索したり、自車位置から避難位置までの経路を探索したりする避難位置探索モードも設定されている。
【００１６】
上記故障対応手段は、図１（ｂ）に示される運転席前方のインストルメントパネル部分２に設けられた計器盤３４のメータディスプレイ部３５、同メータディスプレイ部３５の表示を制御するディスプレイＥＣＵ３７を有して構成される。ディスプレイＥＣＵ３７には故障判別部３３が接続され、故障判別部３３（故障診断装置）が、自動操縦運転に支障のない故障を判別（検出）したときは、故障の通知文と、上記点検施設探索モードの実行、上記避難位置探索モードの実行の許可を促す表示をメータディスプレイ部３５(表示手段)の画面上に映し出す。ディスプレイＥＣＵ３７は、自動操縦運転のときには、現在の走行を継続させるモードとして、現在の目的地へ走行するモード（目的地走行モード）の許可を促す表示も併せて映し出させるようにしている。具体的には、図３に示されるように故障の通知文として「故障（異常）が発生しました」や「つぎの動作を選択してください」が表示され、点検施設探索モード実行の許可を促す表示として「最寄りの販売会社へ行く」が表示され、避難位置探索モード許可を促す表示として「避難位置（路肩など）に停止させる」が表示され、継続モードとして「現在の目的地へ行く」が表示される。これにより、メータディスプレイ部３５の画面上には、故障に対する具体的な対応となる、自動搬送モード、避難モード、継続モードが選択可能に表示される。特に点検修理を必要とする優先度が高い故障（自動操縦運転に支障のない故障）を含む場合、ディスプレイＥＣＵ３７に内蔵された故障レベル表示設定部３８により、優先度が高い故障にしたがい目立つ表示にする。例えば図３（ａ）〜（ｃ）のように故障レベルＣから故障レベルＡへ上がるにしたがい、「最寄りの販売会社へ行く」の文字の大きさを大きくしたり、さらに青色、黄色、赤色と緊急性が高まるよう文字色を変えたり、点灯の仕方（点滅など）を変えたりしている。つまり、故障の重要度（緊急度）を強調（目立つ）させる表示にしている（運転者に認識されやすくするため）。自動操縦運転に支障のある故障を検出したときは、図示はしないが計器盤３４内の所定のインジケータや「避難位置（路肩など）に停止させる」における強調表示で、避難位置探索モードの実行を促す。
【００１７】
上記対応許可手段は、図１（ｃ）に示されるように例えばステアリングハンドル３のスポーク部４に設けたステアリングスイッチ４１を有している。同ステアリングスイッチ４１は、ディスプレイＥＣＵ３７に接続され、運転者の手指でステアリングスイッチ４１の操作子４１ａを操作することによって、メータディスプレイ部３５の画面に表示された各モードの選択と決定とが行えるようにしている。つまり、ステアリングハンドル３からの操作で、自動搬送モード（点検施設探索）、避難モード（避難位置探索）、継続モード（目的地走行（自動操縦運転のときのみ））から一つのモードが選択されて、許可、すなわち実行まで至る。
【００１８】
上記誘導手段は、自動運転ＥＣＵ１９から構成される。例えば図１（ａ）に示されるように自動運転ＥＣＵ１９には、自動搬送モード設定部４３、避難モード設定部４５が設定されている。自動搬送モード設定部４３は、「自動搬送モード（点検施設探索）」が選択されると、自車位置から最寄りの販社までの経路が設定される。この設定により、自動運転ＥＣＵ１にて、交通法規を順守しながら、自動車（車両）が現在の自車位置から販社までの経路をトレース走行するよう（交通法規の順守）、それぞれパワーユニット１１、操舵システム１３、ブレーキシステム１５が、監視センサ１７の監視下で制御されるようにしている。つまり、自動車（車両）は、現在の自車位置（選択操作した時点）から最寄りの販社まで自動操縦走行で誘導されながら運転される。
【００１９】
避難モード設定部４５は、「避難モード（避難位置探索）」が選択されると、自車位置から最寄りの避難位置までの経路（路肩、駐車場、緊急避難帯など）が設定される。避難モード設定部４５は、手動操作モードに換える機能を有している。これにより、緊急な対応として、ナビゲーション装置２１の案内機能を利用して、自動車（車両）が手動操作で避難位置まで誘導されるようになっている。
【００２０】
また自動運転ＥＣＵ１９は、「目的地走行モード」が選択されると、当初の目標位置へ向け走行する制御が継続され、自動走行がそのまま継続されるようにしている(自動運転のとき)。
つぎに、このように構成された運転支援装置２９の作用を図２に示すフローチャートを参照して説明する。
【００２１】
今、例えば目標位置まで自動運転で走行するべく、ナビゲーション装置２１にて目標位置を設定し、自動運転スイッチ２３を操作する。すると、自動車（車両）は、ＧＰＳで検出される自車位置に基づき、ナビゲーション装置２１の地図情報や各種監視センサ１７の検出信号にしたがい、交通法規（車両速度、標識、右左折、車間距離、信号など）を順守しながら、それぞれパワーユニット１１、操舵システム１３、ブレーキシステム１５などが制御され、現在位置から目標位置まで自動操縦で走行される。
【００２２】
この自動操縦で走行中、ステップＳ１のように故障が発生したとする。すると、ステップＳ３へ進み、同故障が自動操縦による自動運転に影響のない故障か否かの判定が行われる。
自動運転に支障のない故障が発生したと判定されると、ステップＳ５へ進み、メータディスプレイ部３５の画面上に、図３に示されるように故障通知である、αで示す「故障（異常）が発生しました」、「車両のつぎの動作を選択してください」や、自動搬送モードの表示であるβで示す「最寄りの販売会社へ行く」や、継続モードの表示であるγで示す「現在の目的地へ行く」や、退避モードの表示であるηで示す「避難位置（路肩など）に停車させる」を表示させ、運転者に対して、どのような対応があるかを促す。
【００２３】
このとき「最寄りの販売会社へ行く」なる表示は、発生した故障が緊急性を有する故障、すなわち点検修理を必要とする優先度が高くなるにしたがい、運転者が気を引く目立つ表示となる。
例えば図３（ｃ）は、直ちに販社へ行くことが求められる緊急性の高いレベルＡの故障の場合である。この場合、「最寄りの販売会社へ行く」は赤字で、かつ最も大きいフォントの文字で表示される。
【００２４】
図３（ｂ）は、できるだけ早く販社へ行ったほうがよい程度のレベルＢの故障の場合である。この場合、「最寄りの販売会社へ行く」は黄色で、大きいフォントの文字で表示される。
図３（ａ）は、点検を勧める程度のレベルＣの故障の場合である。この場合、「最寄りの販売会社へ行く」は青色で、他の文字と同等の大きさのフォントで表示される。
【００２５】
ここで、直ちに販社へ行くことが求められるレベルＡの故障の場合、運転者は、故障が発生した位置が土地勘のない場所であっても、目立つ表示に促されて故障対応を選び決定する（ステアリングスイッチ操作による）。
すると、ステップＳ１１へ進み、現在の自車位置から最寄りの販社を検索、さらに自車位置から最寄りの販社までの経路の探索が行われる。そして、つぎのステップＳ１３において自動搬送モードが設定され、自動車（車両）は、最寄りの販社まで自動搬送される。すなわち、自動車（車両）は、自動操縦で、交通法規を順守しながら、最寄りの販社まで運転（走行）される。これにより、たとえ土地勘がなくとも、自動車（車両）を販社まで、迅速に自動操縦で最寄りの販社まで搬送することができ、迅速に販社で点検修理を受けることができる。
【００２６】
一方、例えば最寄りの販社まで遠いあるいは対象となる販社がない場合、これに代わる緊急の対応としては、自動車（車両）を直ちに避難させることが好ましい。
このときには、ηで示す「避難位置（路肩など）に停車させる」、すなわち避難モードを選んで決定する。
すると、ステップＳ９からステップＳ１５を経てステップＳ１７へと進み、同ステップＳ１７において、現在の自車位置から近い最寄りの避難位置の検索、さらには自車位置から同避難位置までの経路の探索が行われる。避難位置は、車両が緊急に停止可能な安全な場所なため、直線距離が十分に長い路肩、駐車場、緊急避難帯などが選ばれる（いずれも自車位置の周辺）。そして、つぎのステップＳ１９において避難モードが設定され、自動車（車両）は、自動操縦運転から手動運転のモードに切り換わる。そして、運転者は、ナビゲーション装置２１で提示される案内ガイド（自車周辺の地図や音声ガイド）にしたがい、選ばれた最寄りの避難位置まで運転して同位置で停止する。これにより、土地勘がなくとも、自動車（車両）を速やかに周辺の安全な避難位置に避難させることができ、故障によるトラブルから回避される。
【００２７】
他方、ステップＳ５で行われる故障対応が、図３（ａ）のような緊急性のない故障、と表示されるとする。このとき運転者は、後からでも故障対応は十分であるとの判断から、自動搬送モード、避難モードの実行を選択しないと判断する。この場合、γで示す「現在の目的地へ行く」を選ぶことになる。
すると、ステップＳ９からステップＳ１５、ステップＳ１７、ステップＳ２１およびステップＳ２３へと進む。自動車（車両）が自動操縦での運転であれば、既に設定されている目的地までの自動操縦による走行、すなわち自動運転が継続される。手動操作の運転であれば、運転者の手動操作で走行が継続される。この場合は、後日、点検を受ける。
【００２８】
ステップＳ３において自動操縦に支障の有る故障の場合、ステップＳ７を経てステップＳ５へ進み、例えば計器盤３４のインジケータ（図示しない）を作動させてどのような故障であるかを通知すると共に、退避モードを強調する表示で、退避モードの実行を促す。退避モードの実行で、上記同様、即座に自動車（車両）を適切な避難位置に退避させることができる。
【００２９】
こうした故障の対応は、上記した自動運転に限らず、手動操作による運転中、故障が検出されたときについても同様である。なお、この故障対応は、当初が自動運転か手動操作運転かの違いだけで、その後は同じなので詳細な説明は省略する。
このように車両が自動操縦運転あるいは手動操作運転により走行中、故障（自動操縦運転に支障のない故障）が検出されると、運転者に点検施設探索の実行を促す表示がされ、点検施設探索の実行を許可すると、車両は自動操縦で最寄りのサービス店まで自動操縦でサービス店まで搬送される。
【００３０】
これにより、自動車（車両）は、走行中、土地勘のない場所で故障が発生しても、自動操縦で、容易に最寄りの点検施設まで搬送することができる。
したがって、自動車（車両）は、安全で、かつ面倒な手間を要せずに、運転中に発生する故障の対応を行うことができる。
しかも、避難位置へ誘導する退避モードが設けられることにより、たとえ自車位置の周辺に販社が見つからなくとも、緊急に停車可能な場所で定められる適正な避難位置へ退避させれば、安全に自動車(車両)を退避させることができる。この退避行動は、自動操縦運転に支障のある故障を検出したときにも最適である。
【００３１】
そのうえ、自動操縦運転に支障のない故障では、点検を勧める程度の故障の場合、目的地へ行くことを優先する対応も選択でき、状況に応じた対処ができる。この対応は、故障対応の通知表示が、点検修理を必要とする優先度が高い故障にしたがい目立つようにしたことで十分に発揮できる。
図４は、本発明の第２の実施形態を示す。
【００３２】
本実施形態は、第１の実施形態のようなメータディスプレイ部に故障対応を表示して、ステアリングスイッチで、同表示された故障対応を選択決定するのではなく、タッチスイッチ式のディスプレイ部４１を備えるナビゲーション装置４３を用い、同ナビゲーション装置４３のディスプレイ部４１に故障対応を表示し、同ディスプレイ部４１の画面上に形成されるタッチスイッチ（図示しない）で、同表示された故障対応を選択決定するようにしたものである。
【００３３】
このようにしても第１の実施形態と同様の作用効果を奏する。
なお、上述した実施形態における各構成およびそれの組み合わせ等は一例であり、本発明の趣旨から逸脱しない範囲内で、構成の付加、省略、置換、およびその他の変更が可能であることはいうまでもない。また本発明は、上述した実施形態によって限定されることはなく、「特許請求の範囲」によってのみ限定されることはいうまでもない。
【符号の説明】
【００３４】
１  自動車（車両）
１９  自動運転ＥＣＵ（誘導手段）
２１  ナビゲーション装置（点検施設探索手段、避難位置探索手段）
２９  運転支援装置
３１  故障診断装置（故障検出手段）
３５  メータディスプレイ部（故障対応手段）
４１  ステアリングスイッチ(対応許可手段)
【図１】
2017223467.tif 000003
【図２】
2017223467.tif 000004
【図３】
2017223467.tif 000005
【図４】
2017223467.tif 000006